【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
無線リンク障害を処理する第１のデバイスの方法であって、
第２のデバイスとのサイドリンクユニキャスト通信を行うか、または確立することであって、前記第１のデバイスは、前記第２のデバイスとの前記サイドリンクユニキャスト通信のためにサイドリンクＭＡＣ（Medium  Access  Control）エンティティを使用する、ことと、
第３のデバイスとのサイドリンクユニキャスト通信を行うか、または確立することであって、前記第１のデバイスは、前記第３のデバイスとの前記サイドリンクユニキャスト通信のために前記サイドリンクＭＡＣエンティティを使用する、ことと、
前記第２のデバイスに関連する無線リンク障害を検出することと、
前記無線リンク障害に応答して、前記第２のデバイスに関連するペンディングのスケジューリング要求（ＳＲ）および／またはバッファステータスレポート（ＢＳＲ）をキャンセルし、前記無線リンク障害に応答して、前記第３のデバイスに関連するペンディングのＳＲおよび／またはＢＳＲをキャンセルしないことと、
前記無線リンク障害に応答して、前記第２のデバイスとの前記サイドリンクユニキャスト通信に関連するソフトバッファをフラッシュし、前記無線リンク障害に応答して、前記第３のデバイスとの前記サイドリンクユニキャスト通信に関連するソフトバッファをフラッシュしないことと、を含む方法。
【請求項２】
前記第１のデバイスは、前記無線リンク障害に応答して、前記第２のデバイスに関連するサイドリンク送信および／または受信を停止し、前記無線リンク障害に応答して、前記第３のデバイスに関連するサイドリンク送信および／または受信を停止せず、前記サイドリンク送信および／または受信は、ＰＳＳＣＨ（Physical  Sidelink  Shared  Channel）、ＰＳＣＣＨ（Physical  Sidelink  Control  Channel）、および／またはＰＳＦＣＨ（Physical  Sidelink  Feedback  Channel）送信または受信を含む、請求項１に記載の方法。
【請求項３】
無線リンク障害を処理する第１のデバイスの方法であって、
第２のデバイスとのサイドリンクユニキャスト通信を行うか、または確立することであって、前記第１のデバイスは、前記第２のデバイスとの前記サイドリンクユニキャスト通信のためにサイドリンクＭＡＣ（Medium  Access  Control）エンティティを使用する、ことと、
第３のデバイスとのサイドリンクユニキャスト通信を行うか、または確立することであって、前記第１のデバイスは、前記第３のデバイスとの前記サイドリンクユニキャスト通信のために前記サイドリンクＭＡＣエンティティを使用する、ことと、
前記第２のデバイスに関連する無線リンク障害を検出することと、
前記無線リンク障害に応答して、前記第２のデバイスとの前記サイドリンクユニキャスト通信に関連するソフトバッファをフラッシュし、前記無線リンク障害に応答して、前記第３のデバイスとの前記サイドリンクユニキャスト通信に関連するソフトバッファをフラッシュしないことと、を含む方法。
【請求項４】
前記第１のデバイスは、前記無線リンク障害に応答して、前記第２のデバイスに関連するペンディングのスケジューリング要求（ＳＲ）および／またはバッファステータスレポート（ＢＳＲ）をキャンセルし、前記無線リンク障害に応答して、前記第３のデバイスに関連するペンディングのＳＲおよび／またはＢＳＲをキャンセルしない、請求項３に記載の方法。
【請求項５】
前記第１のデバイスは、前記無線リンク障害に応答して、前記第２のデバイスに関連するサイドリンク送信および／または受信を停止し、前記無線リンク障害に応答して、前記第３のデバイスに関連するサイドリンク送信および／または受信を停止せず、前記サイドリンク送信および／または受信は、ＰＳＳＣＨ（Physical  Sidelink  Shared  Channel）、ＰＳＣＣＨ（Physical  Sidelink  Control  Channel）、および／またはＰＳＦＣＨ（Physical  Sidelink  Feedback  Channel）送信または受信を含む、請求項３に記載の方法。
【請求項６】
前記第１のデバイスは、前記無線リンク障害に応答して、ネットワークによってスケジューリングされたか、または前記第１のデバイスによって予約された前記第２のデバイスに関連するサイドリンクユニキャストリソースを解放する、請求項３に記載の方法。
【請求項７】
無線リンク障害を処理する第１のデバイスであって、
制御回路と、
前記制御回路に設けられたプロセッサと、
前記制御回路に設けられ、前記プロセッサに動作可能に結合されたメモリと、を含み、
前記プロセッサは、前記メモリに記憶されたプログラムコードを実行して、
第２のデバイスとのサイドリンクユニキャスト通信を行うか、または確立することであって、前記第１のデバイスは、前記第２のデバイスとの前記サイドリンクユニキャスト通信のためにサイドリンクＭＡＣ（Medium  Access  Control）エンティティを使用する、ことと、
第３のデバイスとのサイドリンクユニキャスト通信を行うか、または確立することであって、前記第１のデバイスは、前記第３のデバイスとの前記サイドリンクユニキャスト通信のために前記サイドリンクＭＡＣエンティティを使用する、ことと、
前記第２のデバイスに関連する無線リンク障害を検出することと、
前記無線リンク障害に応答して、前記第２のデバイスに関連するペンディングのスケジューリング要求（ＳＲ）および／またはバッファステータスレポート（ＢＳＲ）をキャンセルし、前記無線リンク障害に応答して、前記第３のデバイスに関連するペンディングのＳＲおよび／またはＢＳＲをキャンセルしないことと、
前記無線リンク障害に応答して、前記第２のデバイスとの前記サイドリンクユニキャスト通信に関連するソフトバッファをフラッシュし、前記無線リンク障害に応答して、前記第３のデバイスとの前記サイドリンクユニキャスト通信に関連するソフトバッファをフラッシュしないことと、を行うように構成されている、第１のデバイス。
【請求項８】
前記プロセッサは、前記メモリに記憶されたプログラムコードを実行して、
前記無線リンク障害に応答して、前記第２のデバイスに関連するサイドリンク送信および／または受信を停止し、前記無線リンク障害に応答して、前記第３のデバイスに関連するサイドリンク送信および／または受信を停止しないことであって、前記サイドリンク送信および／または受信は、ＰＳＳＣＨ（Physical  Sidelink  Shared  Channel）、ＰＳＣＣＨ（Physical  Sidelink  Control  Channel）、および／またはＰＳＦＣＨ（Physical  Sidelink  Feedback  Channel）送信または受信を含む、ことを行うようにさらに構成されている、請求項７に記載の第１のデバイス。
【請求項９】
無線リンク障害を処理する第１のデバイスの方法であって、
制御回路と、
前記制御回路に設けられたプロセッサと、
前記制御回路に設けられ、前記プロセッサに動作可能に結合されたメモリと、を含み、
前記プロセッサは、前記メモリに記憶されたプログラムコードを実行して、
第２のデバイスとのサイドリンクユニキャスト通信を行うか、または確立することであって、前記第１のデバイスは、前記第２のデバイスとの前記サイドリンクユニキャスト通信のためにサイドリンクＭＡＣ（Medium  Access  Control）エンティティを使用する、ことと、
第３のデバイスとのサイドリンクユニキャスト通信を行うか、または確立することであって、前記第１のデバイスは、前記第３のデバイスとの前記サイドリンクユニキャスト通信のために前記サイドリンクＭＡＣエンティティを使用する、ことと、
前記第２のデバイスに関連する無線リンク障害を検出することと、
前記無線リンク障害に応答して、前記第２のデバイスとの前記サイドリンクユニキャスト通信に関連するソフトバッファをフラッシュし、前記無線リンク障害に応答して、前記第３のデバイスとの前記サイドリンクユニキャスト通信に関連するソフトバッファをフラッシュしないことと、を行うように構成されている、第１のデバイス。
【請求項１０】
前記プロセッサは、前記メモリに記憶されたプログラムコードを実行して、
前記無線リンク障害に応答して、前記第２のデバイスに関連するペンディングのスケジューリング要求（ＳＲ）および／またはバッファステータスレポート（ＢＳＲ）をキャンセルし、前記無線リンク障害に応答して、前記第３のデバイスに関連するペンディングのＳＲおよび／またはＢＳＲをキャンセルしないこと、を行うようにさらに構成されている、請求項９に記載の第１のデバイス。
【請求項１１】
前記プロセッサは、前記メモリに記憶されたプログラムコードを実行して、
前記無線リンク障害に応答して、前記第２のデバイスに関連するサイドリンク送信および／または受信を停止し、前記無線リンク障害に応答して、前記第３のデバイスに関連するサイドリンク送信および／または受信を停止しないことであって、前記サイドリンク送信および／または受信は、ＰＳＳＣＨ（Physical  Sidelink  Shared  Channel）、ＰＳＣＣＨ（Physical  Sidelink  Control  Channel）、および／またはＰＳＦＣＨ（Physical  Sidelink  Feedback  Channel）送信または受信を含む、ことを行うようにさらに構成されている、請求項９に記載の第１のデバイス。
【請求項１２】
前記プロセッサは、前記メモリに記憶されたプログラムコードを実行して、
前記無線リンク障害に応答して、ネットワークによってスケジューリングされたか、または前記第１のデバイスによって予約された前記第２のデバイスに関連するサイドリンクユニキャストリソースを解放すること、を行うようにさらに構成されている、請求項９に記載の第１のデバイス。